(57)【要約】【課題】プラズマディスプレイ装置において、外気の気圧の低い地域、特に標高の高い減圧地域での可聴ノイズを抑制することを目的とする。【解決手段】一対の基板を間に空間が形成されるように対向配置するとともに周辺部を封着部材１４により封着し、かつ空間を複数に仕切るための複数の隔壁１５ａ、１５ｂを設けることにより構成され、かつ隔壁１５ａ、１５ｂは、高さを異ならせた。これにより、気圧の低い高地においても可聴域である２０Ｈｚ〜２０ｋＨｚの間に共振周波数が発生しなくなり、ノイズレベルを抑制することができる。【選択図】  図１
2004349046.tif 000002
【特許請求の範囲】
【請求項１】
一対の基板を間に空間が形成されるように対向配置するとともに周辺部を封着部材により封着し、かつ前記空間を複数に仕切るための複数の隔壁を設けることにより構成され、かつ前記隔壁は、高さを異ならせたことを特徴とするプラズマディスプレイ装置。
【請求項２】
高さの異なる隔壁を規則性をもって配置したことを特徴とする請求項１に記載のプラズマディスプレイ装置。
【請求項３】
個別の隔壁を長手方向で高さに変化を有する形状としたことを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動方式ではＡＣ型とＤＣ型があり、放電形式では面放電型と対向放電型があるが、高精細化、大画面化および製造の簡便性から、現状では、ＡＣ型で面放電型のプラズマディスプレイ装置が主流を占めるようになってきている。
【０００４】
図５〜図９はこのようなプラズマディスプレイ装置におけるパネル構造の一例を示しており、図５は一部を切り欠いて示す斜視図、図６はパネル全体の概略断面図、図７は図５のＡ−Ａ’線で切断した断面図を示し、図８は図５のＢ−Ｂ’線で切断した断面図を示している。図５に示すように、ガラス基板などの透明な前面基板１上には、走査電極２と維持電極３とで対をなすストライプ状の表示電極４が複数対形成され、そして前面基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前面基板１には、複数対の電極群を覆うように誘電体層６が形成され、その誘電体層６上には保護層７が形成されている。
【０００５】
また、前面基板１に対向配置される背面基板８上には、走査電極２および維持電極３の表示電極４と直交する方向に、下地誘電体層９で覆われた複数のストライプ状のデータ電極１０が形成されている。この各々のデータ電極１０間の下地誘電体層９上には、データ電極１０と平行にストライプ状の複数の隔壁１１が配置され、この隔壁１１間の側面１１ａおよび下地誘電体層９の表面に蛍光体層１２が設けられている。
【０００６】
これらの前面基板１と背面基板８とは、走査電極２および維持電極３とデータ電極１０とが直交するように、微小な放電空間を挟んで対向配置されるとともに、周囲が封止され、そして放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３をなしており、その各放電セル１３には、赤色、緑色および青色となるように、各蛍光体層１２が一色ずつ順次配置されている。なお、図６において、１４は前面基板１と背面基板８の周囲を封止するためのガラスフリットなどの封着部材である。
【０００７】
このパネルの電極配列は、図９に示すように、Ｍ行×Ｎ列の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている（特許文献１参照）。
【０００８】
【特許文献１】
特開２００１−１８９１３５号公報
【０００９】
【発明が解決しようとする課題】
プラズマディスプレイ装置のパネル本体は、一対の基板となる表面ガラスと背面ガラスとが隔壁を挟持して周辺部を封着部材で封着して貼り合わされ、また内部にはネオンを主体とする放電ガスが約５００Ｔｏｒｒで封入されており、通常は大気圧により表面ガラスは背面ガラスの隔壁に圧接されている。
【００１０】
しかし、外気の気圧が低い地域、特に標高の高い場所では前面基板と背面基板側の隔壁との密着力が弱くなり、背面基板に構成されている隔壁と前面基板に隙間が生じ、パネル動作時にノイズが発生する問題があった。このノイズは人の聴感ではジーと聞こえ、音圧が３０ｄＢを越えるとかなり耳障りになるものである。
【００１１】
本発明はこのような問題を解決するもので、外気の気圧の低い地域、特に標高の高い減圧地域での可聴ノイズを抑制することを目的とする。
【００１２】
【課題を解決するための手段】
上記目的を達成するために本発明のプラズマディスプレイ装置は、一対の基板を間に空間が形成されるように対向配置するとともに周辺部を封着部材により封着し、かつ空間を複数に仕切るための複数の隔壁を設けることにより構成され、かつ前記隔壁は、高さを異ならせたもので、隔壁の高さを数μｍ高くすることにより、気圧の低い高地においても可聴域である２０Ｈｚ〜２０ｋＨｚの間に共振周波数が発生しないようにすることができ、ノイズレベルを抑制することができる。
【００１３】
また、本発明のプラズマディスプレイ装置では、上記構成において、高さの異なる隔壁を規則性をもって配置したことを特徴とする。すなわち、ストライプ状の隔壁の長手方向において、ある一定の規則性をもった間隔で、１μｍ〜３μｍ高い部位を設けることで、隙間が開いた場合においても可聴域に共振周波数が発生しないようにすることが可能となる。
【００１４】
また、個別の隔壁を長手方向で高さに変化を有する形状、すなわち隔壁の高さを長手方向において数μｍ間隔で変化させることにより、共振周波数を可聴域外にすることが可能であり、標高の高い地域でもノイズレベルを抑制することができる。さらに、本発明のプラズマディスプレイ装置は、隔壁の高さの異なる形状のものを、自在に組み合わせ、たとえば、格子状に隣り合う隔壁の高さが異なるように構成することで、これも同様に、共振周波数が可聴域外となるようにすることにより、標高の高い地域でのノイズレベルを抑制することができる。
【００１５】
【発明の実施の形態】
以下、本発明の一実施の形態によるプラズマディスプレイ装置について、図１〜図９の図面を用いて説明する。
【００１６】
まず、図１に示すように、パネルは、前面パネルと背面パネルとから構成されている。前面パネルは、前面基板１上に表示電極として、ＩＴＯまたは酸化スズ（ＳｎＯ２）などの透明導電性材料からなる透明電極２ａ、３ａおよび銀（Ａｇ）厚膜（厚み：２μｍ〜１０μｍ）、アルミニウム（Ａｌ）薄膜（厚み：０．１μｍ〜１μｍ）またはＣｒ／Ｃｕ／Ｃｒ積層薄膜（厚み：０．１μｍ〜１μｍ）からなる母線２ｂ、３ｂを順次積層形成し、そしてその表示電極を覆うように、酸化鉛（ＰｂＯ）または酸化ビスマス（Ｂｉ２Ｏ３）または酸化燐（ＰＯ４）を主成分（一例として、酸化鉛（ＰｂＯ）７０重量％、酸化硼素（Ｂ２Ｏ３）１５重量％、酸化珪素（ＳｉＯ２）１５重量％）とする低融点ガラス（厚み２０μｍ〜５０μｍ）からなる誘電体層６をスクリーン印刷（ダイコート印刷またはフィルムラミネート法でも形成可能）によって形成し、次に誘電体層６をプラズマによる損傷から保護するために、ＭｇＯからなる保護層７（厚み：１００ｎｍ〜１０００ｎｍ）を電子ビーム蒸着法または、スパッタリング法により形成することにより構成されている。なお、一例として母線２ｂ、３ｂを銀電極で構成した場合、紫外線感光性樹脂を含んだ銀電極用インクをスクリーン印刷法により均一塗布して乾燥した後、露光現像によるパターニングと焼成によって形成する。
【００１７】
一方、背面パネル側は、まず背面基板８上に銀（Ａｇ）厚膜（厚み：２μｍ〜１０μｍ）、アルミニウム（Ａｌ）薄膜（厚み：０．１μｍ〜１μｍ）またはＣｒ／Ｃｕ／Ｃｒ積層薄膜（厚み：０．１μｍ〜１μｍ）からなるデータ電極１０を前記表示電極と交差する方向に形成し、そしてそのデータ電極１０を覆うように、酸化鉛（ＰｂＯ）または酸化ビスマス（Ｂｉ２Ｏ３）または酸化燐（ＰＯ４）を主成分とする低融点ガラス（厚み５μｍ〜２０μｍ）からなる下地誘電体層９を形成している。
【００１８】
さらに、その下地誘電体層９上には、ガラスを主成分とする隔壁１５ａ、１５ｂが所定のピッチで並設形成され、さらに隔壁１５ａ、１５ｂによって挟まれた各空間に赤色蛍光体（Ｒ）、緑色蛍光体（Ｇ）、青色蛍光体（Ｂ）の１つによる蛍光体層１２が形成され、これにより背面パネルが構成されている。なお、下地誘電体層９は、隔壁１１との密着性を改善するためのものであり、無いとプラズマディスプレイパネルが動作しないというものではない。また、蛍光体層１２はそれぞれ、赤色蛍光体（Ｒ）、緑色蛍光体（Ｇ）、青色蛍光体（Ｂ）粉末のいずれかにビークルを混合し、ペースト状にしたものをインク吐出法によって塗布し形成する。
【００１９】
図１に本発明の一実施の形態によるプラズマディスプレイ装置におけるパネル構造を示す。背面基板８に形成する隔壁１５ａ、１５ｂは、主にダイコート印刷により形成され、露光・現像を行って形成する。また、隔壁１５ａ、１５ｂは、等間隔ピッチで規則性をもって形成されており、所定高さの基準の隔壁１５ａとそれより数μｍ高い隔壁１５ｂとを形成するために、２度にわたる印刷と露光を行っている。
【００２０】
まず、１層目は基準の高さとなる１２０μｍほどにダイコート印刷を施し、露光する。次に、現像する前にもう１層薄い隔壁層（１μｍ〜３μｍ）をスクリーン印刷等で形成し、露光・現像を行えば、たとえば、図１のような一定間隔、たとえば所定ピッチごとで、隔壁１５ａと、この隔壁１５ａに隣り合い数μｍ高い隔壁１５ｂとして形成することができる。
【００２１】
このとき、高い隔壁１５ｂをどのくらいの間隔で形成するかは、可聴域外の共振周波数にするために、隙間を設ける間隔を以下の式より求めることで、決まってくる。
【００２２】
ｃ＝ｆ・λ
ｃは各標高での音速に相当し、２０００ｍでは音速ｃは３２３．６ｍ／ｓとなり、ｆ＝２０ｋＨｚを代入すると、λ＝１６．２ｍｍとなる。これより、１６ｍｍ以下の間隔で高い隔壁１５ｂを形成するのが望ましい。
【００２３】
また、隔壁１５ｂの高さは基準の隔壁１５ａから１μｍ〜３μｍほど高い寸法にすれば、隔壁の高さバラツキによる、誤放電の弊害を受けることはない。
【００２４】
次に、このようにして作製した前面パネルと背面パネルとを封着部材１４を用いて貼り合わせると共に、隔壁１５ａ、１５ｂで仕切られた放電セル１３内を高真空（１×１０−４Ｐａ）に排気した後、所定組成の放電ガスを、所定の圧力で封入することによってプラズマディスプレイパネルを作製する。一例として、ネオンガスとキセノンガスの混合ガスを体積％でそれぞれ９５％、５％とし、圧力を６６．５ｋＰａ（５００Ｔｏｒｒ）としている。
【００２５】
以上のように構成した本実施の形態のパネルを用いたプラズマディスプレイ装置においては、標高２０００ｍ以下では、共振周波数は２０ｋＨｚ以上となり、可聴ノイズを抑制することができる。
【００２６】
これより、本発明では、基準の隔壁１５ａより高い隔壁１５ｂを１６ｍｍ以下の間隔で形成することにより、共振周波数をシフトすることができ、ノイズレベルを抑制することができる。また、この間隔での隔壁の高さの変更を応用して、図３（ａ）、（ｂ）のように、並設の隔壁毎に様々な高さの隔壁を形成しても、同様に共振周波数を高周波にすることができる。実際には、所定数のピッチごとに規則性ないしは周期性をもって高い隔壁を設けるのが望ましい。
【００２７】
次に、このようなパネルを組み込んだプラズマディスプレイ装置全体の構成について図２を用いて説明する。図において、パネル本体２１を収容する筐体は、前面枠２２と金属製のバックカバー２３とから構成され、前面枠２２の開口部には光学フィルターおよびパネル本体２１の保護を兼ねたガラス等からなる前面カバー２４が配置されている。また、この前面カバー２４には電磁波の不要輻射を抑制するために、たとえば銀蒸着が施されている。さらに、バックカバー２３には、パネル本体２１等で発生した熱を外部に放出するための複数の通気孔２３ａが設けられている。
【００２８】
前記パネル本体２１は、アルミニウム等からなるシャーシ部材２５の前面に熱伝導シート２６を介して接着することにより保持され、そしてシャーシ部材２５の後面側には、パネル本体２１を表示駆動させるための複数の回路ブロック２７が取り付けられている。熱伝導シート２６は、パネル本体２１で発生した熱をシャーシ部材２５に効率よく伝え、放熱を行うためのものである。また、回路ブロック２７はパネル本体２１の表示駆動とその制御を行うための電気回路を備えており、パネル本体２１の縁部に引き出された電極引出部に、シャーシ部材２５の四辺の縁部を越えて延びる複数のフレキシブル配線板（図示せず）によって電気的に接続されている。
【００２９】
また、シャーシ部材２５の後面には、回路ブロック２７を取り付け、バックカバー２３を固定するためのボス部２５ａがダイカスト等による一体成型により突設されている。なお、このシャーシ部材２５は、アルミニウム平板に固定ピンを固定して構成してもよい。
【００３０】
図４は本発明の他の実施の形態によるプラズマディスプレイ装置のパネルの要部構造を示す断面図であり、この実施の形態においては、個別の隔壁１６を長手方向で高さに変化を有する形状としたものである。すなわち、隔壁１６は、その長手方向において、高さの低い部分１６ａと高さの高い部分１６ｂとを交互に有する形状としたものである。
【００３１】
この図４のように長手方向で高さを制御した隔壁１６を作製するためには、上記実施の形態と同様に、基準の高さの隔壁層をダイコート印刷で整形し、所定の間隔で、露光する。その後スクリーン印刷等で、薄い隔壁層を上積み形成し、この上積み層が隔壁上に所定の間隔で残るように露光し、現像することで作製できる。もしくは、サンドブラスト法により、所定の間隔で削り取ることにより形成することができる。このとき、高い部分１６ｂは実施の形態１と同様に１６ｍｍ以下の等間隔で、１μｍ〜３μｍの凹凸を形成することにより、共振周波数を２０ｋＨｚ以上にすることができる。これにより、ノイズレベルを抑制することができる。
【００３２】
このようなプラズマディスプレイ装置は、気圧の低い高地での実動作においても、可聴域に共振周波数を発生することが無く、可聴ノイズを抑制できるという効果が得られる。
【００３３】
【発明の効果】
以上の説明から明らかなように、本発明のプラズマディスプレイ装置によれば、気圧の低い高地での実動作において、ノイズを抑制することができるという効果が得られる。
【図面の簡単な説明】
【図１】本発明の一実施の形態によるプラズマディスプレイ装置におけるパネル構造を示す断面図
【図２】同プラズマディスプレイ装置全体の構成を示す分解斜視図
【図３】（ａ）、（ｂ）は本発明の他の実施の形態によるプラズマディスプレイ装置のパネルの要部構造を示す断面図
【図４】本発明の他の実施の形態によるプラズマディスプレイ装置のパネルの要部構造を示す断面図
【図５】一般的なプラズマディスプレイ装置のパネル構造の一例を示す斜視図
【図６】同パネル全体の概略断面図
【図７】図５のＡ−Ａ’線で切断した断面図
【図８】図５のＢ−Ｂ’線で切断した断面図
【図９】同プラズマディスプレイ装置のパネル本体の電極配列を示す説明図
【符号の説明】
１  前面基板
２  走査電極
３  維持電極
４  表示電極
５  遮光層
６  誘電体層
７  保護層
８  背面基板
９  下地誘電体層
１０  データ電極
１２  蛍光体層
１３  放電セル
１４  封着部材
１５ａ，１５ｂ，１６  隔壁
【図１】
2004349046.tif 000003
【図２】
2004349046.tif 000004
【図３】
2004349046.tif 000005
【図４】
2004349046.tif 000006
【図５】
2004349046.tif 000007
【図６】
2004349046.tif 000008
【図７】
2004349046.tif 000009
【図８】
2004349046.tif 000010
【図９】
2004349046.tif 000011